(57)【要約】【課題】取り扱い性の高いクッション及びクッションセットを提供することを目的とする。【解決手段】平面視中央に高さ方向に貫通する装着開口部１ａと、周方向の一部において、装着開口部１ａと連通して開放された開放部１ｂとが備えられた多機能クッション１を、高さ方向に重ね合わせ可能なクッション体１０，２０と、クッション体１０，２０を着脱自在に連結する連結部３０，４０とで構成し、高さ方向の下側の下部クッション体２０の反発力を、上側の上部クッション体１０の反発力より高くした。【選択図】図１
2019041961.tif 000002
【特許請求の範囲】
【請求項１】
平面視中央に高さ方向に貫通する開口部と、周方向の一部において、前記開口部と連通して開放された開放部分とが備えられたクッションであって、
前記高さ方向に重ね合わせ可能な複数のクッション体と、
該クッション体同士を着脱自在に連結する連結部とで構成された
クッション。
【請求項２】
前記クッション体が、
前記高さ方向の下側の下側クッション体と、上側の上側クッション体とで構成され、
前記下側クッション体の反発力が、前記上側クッション体の反発力より高い
請求項１に記載のクッション。
【請求項３】
前記下側クッション体の高さが、前記上側クッション体の高さより低い
請求項２に記載のクッション。
【請求項４】
前記上側クッション体の開放端部同士を着脱自在に連結する開放連結部と、
前記下側クッション体の開放端部同士の開放幅を調整する開放幅調整部とが備えられた
請求項２または３に記載のクッション。
【請求項５】
前記上側クッション体と前記下側クッション体とを連結する前記連結部が、
開放部分に対する反対側に配置された第１連結部と、
開放端部のそれぞれに配置された第２連結部とで構成された
請求項２乃至４のうちいずれかに記載のクッション。
【請求項６】
前記第２連結部が、雄雌嵌合する一対の雄型連結部と雌型連結部とで構成され、
前記上側クッション体の開放端部の一方及び前記下側クッション体の開放端部の他方に前記雄型連結部が配置され、
前記上側クッション体の開放端部の他方及び前記下側クッション体の開放端部の一方に前記雌型連結部が配置された
請求項５のうちいずれかに記載のクッション。
【請求項７】
請求項２乃至６のうちいずれかに記載のクッションと、
巻き回した前記下側クッション体と、巻き回した前記上側クッション体とを重ね合わせて収容可能に構成された収容袋とで構成された
クッションセット。
【発明の詳細な説明】
【技術分野】
【０００１】
この発明は、例えば、ネックピローとして使用できるクッション及びクッションセットに関する。
【背景技術】
【０００２】
従来より、例えば、首回りに装着するネックピローとよばれるようなクッションが数多く提案されている。  
特許文献１に記載の携帯用多機能枕もそのようなクッションのひとつである。特許文献１に記載の携帯用多機能枕は、略円柱状のクッション材を複数直列接続するとともに、端部に締め付け可能なリボンが備えられており、首回りにおいて全体を環状に変形させ、端部のリボン同士を結びつけることで、ネックピローとして使用することができるとされている。
【０００３】
しかしながら、このようなクッションをネックピローとして使用する場合、首の安定性を確保するためには、肩から頭部を支持するための高さが必要となるが、このように高さの高いクッションは、例えば、変形させる際などにおける取り扱い性が悪かった。
【先行技術文献】
【特許文献】
【０００４】
【特許文献１】特開２０１７−２３１６０号公報
【発明の概要】
【発明が解決しようとする課題】
【０００５】
そこで本発明では、取り扱い性の高いクッション及びクッションセットを提供することを目的とする。
【課題を解決するための手段】
【０００６】
この発明は、平面視中央に高さ方向に貫通する開口部と、周方向の一部において、前記開口部と連通して開放された開放部分とが備えられたクッションであって、前記高さ方向に重ね合わせ可能な複数のクッション体と、該クッション体同士を着脱自在に連結する連結部とで構成されたことを特徴とする。
【０００７】
上記複数のクッション体は、重ね合わせて２段となるように構成されてもよいし、２段以上で構成されてもよい。また、複数段で構成されるうちの各段を複数のクッション体で構成してもよい。さらには、複数のクッション体は、同形状、高さ方向に対して対称な形状、異なる形状で形成してもよい。
【０００８】
なお、平面視中央に高さ方向に貫通する開口部と、周方向の一部において、前記開口部と連通して開放された開放部分とが備えられていれば、平面視略Ｃ型でもよいし、どのような形状であってもよいが、開口部は平面視円形や楕円形であると装着感が良く好ましい。
【０００９】
この発明により、取り扱い性の高いクッションを構成することができる。  
詳述すると、平面視中央に高さ方向に貫通する開口部と、周方向の一部において、前記開口部と連通して開放された開放部分とが備えられたクッションを、前記高さ方向に重ね合わせ可能な複数のクッション体と、該クッション体同士を着脱自在に連結する連結部とで構成しているため、つまり所定の高さのクッションを、高さの低いクッション体を重ね合わせて構成することができる。このように、高さの低いクッション体は、高さの高いクッションに比べて、取り扱い性が高いため、クッションとしての取り扱い性を向上することができる。
【００１０】
また、さまざまな態様でクッションを利用することができる。  
詳述すると、前記連結部を外すことで複数のクッション体を分離させることができるため、それぞれを別々、あるいは組み合わせて利用することができる。
【００１１】
また、連結部を連結することで複数のクッション体を一体化することができ、複数のクッション体を重ね合わせることで、例えばネックピローのように高さのあるクッションとして利用したり、連結部によって一体化した複数のクッション体を展開することで、大きなクッションとして利用したりすることができる。
【００１２】
この発明の態様として、前記クッション体が、前記高さ方向の下側の下側クッション体と、上側の上側クッション体とで構成され、前記下側クッション体の反発力が、前記上側クッション体の反発力より高くてもよい。  
上記クッション体の反発力とは、クッション体を構成する低反発ウレタンフォームなどのクッション材の弾性力やクッション性を指す。
【００１３】
この発明により、装着感の高いクッションを構成することができる。  
例えば、クッションをネックピローとして用いる場合、反発力の高い下側クッション体で首元から肩に亘ってしっかりと支持し、反発力が低い、つまりクッション性の高い上側クッション体で頭部を支持するため、反発力が高いクッション体のみで構成されたクッションに比べて装着感を向上することができ、反発力が低いクッション体のみで構成されたクッションに比べてしっかりと支持することができる。
【００１４】
またこの発明の態様として、前記下側クッション体の高さが、前記上側クッション体の高さより低くてもよい。  
この発明により、良好な装着感を得ることができる。
【００１５】
例えば、クッションをネックピローとして用いる場合、装着状態において首元側に配置される下側クッション体の高さが高いと頸動脈部分を反発力の高いクッション体で抑えることとなり、首の太い利用者は息苦しく感じるおそれがあるが、下側クッション体の高さが低いことによって、首の締め付け感を低減でき、良好な装着感を得ることができる。
【００１６】
またこの発明の態様として、前記上側クッション体の開放端部同士を着脱自在に連結する開放連結部と、前記下側クッション体の開放端部同士の開放幅を調整する開放幅調整部とが備えられてもよい。  
この発明により、さまざまな利用者であっても良好な装着感を得ながら、しっかりと頭部を支持することができる。
【００１７】
例えば、クッションをネックピローとして用いる場合、顎下に装着される上側クッション体の開放端部同士を好みによって連結したり、開放したりすることができる。また、首元に配置される下側クッション体の開放幅を開放幅調整部で調整できるため、利用者の首元の太さに応じて調整でき、締め付け感なくしっかりと支持することができる。このように、前記上側クッション体に開放連結部を設け、前記下側クッション体に開放幅調整部を設けることで、さまざまな利用者であっても良好な装着感を得ながら、しっかりと頭部を支持することができる。
【００１８】
またこの発明の態様として、前記上側クッション体と前記下側クッション体とを連結する前記連結部が、開放部分に対する反対側に配置された第１連結部と、開放端部のそれぞれに配置された第２連結部とで構成されてもよい。  
上記開放部分に対する反対側は、例えば、ネックピローとして利用する場合において、開放部分が利用者の正面側、つまり顎下となる向きで装着した際の首裏側となる部分を指す。
【００１９】
この発明により、さまざまな態様でクッションを利用することができる。  
詳述すると、前記第１連結部及び第２連結部を外すことで上側クッション体と下側クッション体とを分離させることができるため、それぞれを別々、あるいは組み合わせて利用することができる。
【００２０】
また、第１連結部及び第２連結部の少なくとも一方を連結することで上側クッション体と下側クッション体とを一体化することができるため、上側クッション体と下側クッション体とを重ね合わせて、例えばネックピローのように高さのあるクッションとして利用できる。また、第１連結部及び第２連結部の一方のみを連結することで、連結部によって一体化された上側クッション体と下側クッション体とを展開して大きなクッションとして利用できるが、第１連結部及び第２連結部のどちらかを連結することで展開する態様が異なるため、利用性が向上する。
【００２１】
またこの発明の態様として、前記第２連結部が、雄雌嵌合する一対の雄型連結部と雌型連結部とで構成され、前記上側クッション体の開放端部の一方及び前記下側クッション体の開放端部の他方に前記雄型連結部が配置され、前記上側クッション体の開放端部の他方及び前記下側クッション体の開放端部の一方に前記雌型連結部が配置されてもよい。
【００２２】
この発明により、重ね合わせ方向を間違うことなく、上側クッション体と下側クッション体とを重ね合わせて連結することができる。  
詳述すると、前記上側クッション体と前記下側クッション体とを重ね合わせた状態において、前記上側クッション体の開放端部の一方に配置した前記雄型連結部と、前記下側クッション体の開放端部の一方に配置した前記雌型連結部とは連結できるとともに、前記上側クッション体の開放端部の他方に配置した前記雌型連結部と、前記下側クッション体の開放端部の他方に配置した前記雄型連結部とは連結できるが、前記上側クッション体の開放端部の一方に配置した前記雄型連結部と、前記下側クッション体の開放端部の他方に配置した前記雄型連結部とは連結できず、前記上側クッション体の開放端部の他方に配置した前記雌型連結部と、前記下側クッション体の開放端部の一方に配置した前記雌型連結部とは連結できない。
【００２３】
そのため、前記上側クッション体の開放端部の一方と、前記下側クッション体の開放端部の一方とが上下方向に配置され、前記上側クッション体の開放端部の他方と、前記下側クッション体の開放端部の他方とが上下方向に配置される向きで重ね合わせた場合でなければ、雄雌一対構成された第２連結部が連結できないため、重ね合わせ方向を間違えることなく、上側クッション体と下側クッション体とを重ね合わせて連結して使用することができる。
【００２４】
また、上側クッション体に設けた第２連結部が雄雌一対構成されているため、上側クッション体に設けた第２連結部は、下側クッション体との連結だけでなく、上側クッション体における開放端部同士を着脱自在に連結する開放連結部としても機能させることができる。
【００２５】
またこの発明は、上記クッションと、巻き回した前記下側クッション体と、巻き回した前記上側クッション体とを重ね合わせて収容可能に構成された収容袋とで構成されたクッションセットであることを特徴とする。
【００２６】
この発明により、高さのあるクッション体を巻きまわして収容袋に収容する場合に比べて、前記下側クッション体と前記上側クッション体とをそれぞれ手軽に巻きまわして収容できるため、コンパクトに容易に収容できる。したがって、携帯用のクッションとして活用することができる。
【発明の効果】
【００２７】
本発明により、取り扱い性の高いクッション及びクッションセットを提供することができる。
【図面の簡単な説明】
【００２８】
【図１】多機能クッションの斜視図。
【図２】多機能クッションの説明図。
【図３】多機能クッションの概略断面図。
【図４】上部クッション体と下部クッション体の説明図。
【図５】開放幅調整部の説明図。
【図６】多機能クッションの説明図。
【図７】ネックピローとして使用する多機能クッションの説明図。
【図８】展開して使用する多機能クッションの平面図。
【図９】曲げて使用する多機能クッションの斜視図。
【図１０】上部クッション体と下部クッション体を巻き付けて巾着袋に収容するクッションセットの説明図。
【発明を実施するための形態】
【００２９】
この発明の一実施形態を以下図面と共に説明する。  
図１は多機能クッション１の斜視図を示し、図２は多機能クッション１の説明図を示し、図３は多機能クッション１の概略断面図を示し、図４は上部クッション体１０と下部クッション体２０の説明図を示し、図５は開放幅調整部５０の説明図を示し、図６は多機能クッション１の説明図を示し、図７はネックピローとして使用する状態の多機能クッション１の説明図を示し、図８は展開して使用する状態の多機能クッション１の平面図を示し、図９は曲げて使用する状態の多機能クッション１の斜視図を示している。
【００３０】
詳述すると、図２（ａ）は多機能クッション１の後面側からの斜視図を示し、図２（ｂ）は多機能クッション１の平面図を示している。図４（ａ）は上部クッション体１０の斜視図を示し、図４（ｂ）は下部クッション体２０の斜視図を示している。
【００３１】
また、図５（ａ）は開放幅調整部５０の正面図を示し、図５（ｂ）はアジャスタ５２が開放された状態の開放幅調整部５０の断面図を示し、図５（ｃ）は締め付け調整状態の開放幅調整部５０の断面図を示し、図５（ｄ）は締め付け調整完了状態の開放幅調整部５０の断面図を示している。図６（ａ）は上部クッション体１０と下部クッション体２０とを連結した状態の多機能クッション１の正面図を示し、図６（ｂ）は上部クッション体１０の開放端部１１同士を連結した状態の多機能クッション１の正面図を示している。
【００３２】
さらに、図７（ａ）は正面側連結部４０で上部クッション体１０と下部クッション体２０とを連結した状態の多機能クッション１をネックピローとしての使用した状態の斜視図を示し、図７（ｂ）は正面側連結部４０で上部クッション体１０の開放端部１１同士を連結した状態の多機能クッション１をネックピローとして使用した状態の斜視図を示している。  
なお、図１および図３では、図面を簡略化するため開放幅調整部５０の図示を省略している。
【００３３】
様々な態様で使用できる多機能クッション１について、まずは上部クッション体１０と下部クッション体２０とを上下方向に重ねて連結し、主にネックピローとして使用できる状態で説明する。  
多機能クッション１は、図１および図２に示すように、平面視中央の装着開口部１ａと、正面側において装着開口部１ａと連通する開放部１ｂとを有する平面視略Ｃ型に形成されている。
【００３４】
なお、後述するように、上部クッション体１０と下部クッション体２０とを重ね合わせた状態において、上部クッション体１０の開口部１０ａと下部クッション体２０の開口部２０ａとが上下方向に連通して装着開口部１ａが構成され、同様に、上部クッション体１０の開放部１０ｂと下部クッション体２０の開放部２０ｂとが上下方向に連通して開放部１ｂが構成されている。
【００３５】
また、多機能クッション１は、上述したような平面視形状の上部クッション体１０及び下部クッション体２０、上部クッション体１０と下部クッション体２０とを連結する連結部３０，４０並びに下部クッション体２０の開放部２０ｂの開放幅を調整する開放幅調整部５０で構成されている。
【００３６】
上部クッション体１０は、平面視中央の開口部１０ａと、正面側において開口部１０ａと連通する開放部１０ｂとを有する平面視略Ｃ型に形成され、底面１０ｃがフラットに形成されている。なお、上部クッション体１０における開放部１０ｂを形成する端部を開放端部１１としている。
【００３７】
また、ネックピローとして使用する際に、利用者Ｍの頭部Ｈ（図７参照）に接する上面１０ｄは、開放部１０ｂが正面側となる装着状態において、利用者Ｍの首裏部分にあたる後側上面１０ｄａが凹み、利用者Ｍの頬部分にあたる横側上面１０ｄｂが盛り上がり、利用者Ｍの顎下にあたる前側上面１０ｄｃが開放端部１１に向かって下がるような滑らかな波状の凹凸形状で形成されている。
【００３８】
なお、このような形状で形成された上部クッション体１０は、図３に示すように、上述のような形状で形成された、反発力の低い低反発クッション材１２を、伸縮性が高く、滑らかで肌触りの良いカバー１３で覆って構成されている。
【００３９】
また、上部クッション体１０における後側側面の下部には、後述する後面側連結部３０を構成する雌型ホック３２が備えられ、上部クッション体１０における開放端部１１の正面側側面の下部には正面側連結部４０を構成するホック部４１，４２が備えられている。なお、ホック部４１，４２は、開放端部１１同士を連結する開放連結部６０（図７（ｂ）参照）としても機能する。
【００４０】
また、図６（ａ）に示すように、上部クッション体１０における開放端部１１の正面側側面の下部に備えられたホック部４１，４２のうち、正面視左側の開放端部１１に備えられたホック部を雌型ホック部４１とし、正面視右側の開放端部１１に備えられたホック部を雄型ホック部４２としている。
【００４１】
より詳しくは、正面視左側の開放端部１１に備えられた雌型ホック部４１は、カバー１３に固定され、下方に延びるように形成された舌片体４１ａに雌型ホック４１ｂが備えられている。同様に、正面視右側の開放端部１１に備えられた雄型ホック部４２は、カバー１３に固定され、下方に延びるように形成された舌片体４２ａに雄型ホック４２ｂが備えられている。
【００４２】
このように、雌型ホック部４１と雄型ホック部４２とは雄雌嵌合可能な雌型ホック４１ｂと雄型ホック４２ｂとで一対構成されており、後述するホック４３，４４とともに正面側連結部４０を構成する。
【００４３】
下部クッション体２０は、平面視中央の開口部２０ａと、正面側において開口部２０ａと連通する開放部２０ｂとを有する平面視略Ｃ型に形成され、底面２０ｃ及び上面２０ｄがフラットに形成されている。なお、下部クッション体２０における開放部２０ｂを形成する端部を開放端部２１としている。また、正面視において左右の開放端部２１同士の間の間隔を開放部２０ｂの開放幅としている。
【００４４】
なお、このような形状で形成された下部クッション体２０は、図３に示すように、上述のような形状で形成された、反発力の低い低反発クッション材２２を、伸縮性が高く、滑らかで肌触りの良いカバー２３で覆って構成されている。また、低反発クッション材２２の反発力は低いものの、上部クッション体１０を構成する低反発クッション材１２の反発力に比べて高いクッション材である。具体的には、低反発クッション材２２は、低反発クッション材１２の反発力に対して１．３〜２．０倍程度の反発力のクッション材を用いている。
【００４５】
また、下部クッション体２０における後側側面には、後述する後面側連結部３０を構成する雄型ホック部３１が備えられ、下部クッション体２０における開放端部２１の正面側側面には正面側連結部４０を構成するホック４３，４４と、開放幅調整部５０が備えられている。
【００４６】
下部クッション体２０における後側側面の上部に備えられた雄型ホック部３１は、カバー２３に固定され、上方に延びるように形成された舌片体３１ａに雄型ホック３１ｂが備えられている。
【００４７】
また、図６（ａ）に示すように、下部クッション体２０における下部クッション体２０における開放端部２１の正面側側面の下部に備えられたホック４３，４４のうち、正面視左側の開放端部２１に備えられたホックを雄型ホック４３とし、正面視右側の開放端部２１に備えられたホックを雌型ホック４４としている。  
このように、雄型ホック４３と雌型ホック４４とは雄雌嵌合可能な一対構成され、上述のホック部４１，４２とともに正面側連結部４０を構成する。
【００４８】
また、下部クッション体２０における開放端部２１の正面側側面の下端に備えられた開放幅調整部５０は、開放端部２１の正面側側面の下端のそれぞれから延びる所定長さの調整紐５１，５１と、調整紐５１，５１に対して位置調整可能なアジャスタ５２とで構成されている。
【００４９】
なお、調整紐５１の先端には抜け止めブロック５１ａが備えられている。  
調整紐５１，５１に対して位置調整可能なアジャスタ５２は、オス型アジャスタ５３と、メス型アジャスタ５４とで構成されている。
【００５０】
オス型アジャスタ５３は、図５に示すように、先端に嵌合凸部５３ａａを有し、嵌合凸部５３ａａとは反対側が開口する筒状本体５３ａと、嵌合凸部５３ａａとは反対側の開口から筒状本体５３ａの内部に挿通されたスライダ５３ｂと、スライダ５３ｂを離間方向に付勢するバネ５３ｃとで構成されている。
【００５１】
筒状本体５３ａの外周面には、調整紐５１の断面径よりひと回り大きな径の挿入口５３ａｂが対向して設けられている。  
また、スライダ５３ｂは、筒状本体５３ａの内部に挿通可能な円柱状の円柱本体５３ｂａと、円柱本体５３ｂａの後端に配置され、挿通状態において筒状本体５３ａより突出する押圧部５３ｂｂとで構成され、円柱本体５３ｂａを直径方向に貫通する貫通孔５３ｂｃが設けられている。
【００５２】
なお、貫通孔５３ｂｃと、筒状本体５３ａに設けられた挿入口５３ａｂは略同径で形成されているが、バネ５３ｃによって付勢されたスライダ５３ｂに設けられた貫通孔５３ｂｃと、筒状本体５３ａに設けられた挿入口５３ａｂとでは、軸方向の位置がずれるように配置されている。
【００５３】
メス型アジャスタ５４は、図５に示すように、嵌合凸部５３ａａが挿入可能な挿入空間５４ａａを有し、挿入空間５４ａａとは反対側が開口する筒状本体５４ａと、挿入空間５４ａａとは反対側の開口から筒状本体５４ａの内部に挿通されたスライダ５４ｂと、スライダ５４ｂを離間方向に付勢するバネ５４ｃと、挿入空間５４ａａに挿入された嵌合凸部５３ａａに係止して抜け止めするロック部５４ｄとで構成されている。
【００５４】
筒状本体５４ａの外周面には、調整紐５１の断面径よりひと回り大きな径の挿入口５４ａｂが対向して設けられている。  
また、スライダ５４ｂは、筒状本体５４ａの内部に挿通可能な円柱状の円柱本体５４ｂａと、円柱本体５４ｂａの後端に配置され、挿通状態において筒状本体５４ａより突出する押圧部５４ｂｂとで構成され、円柱本体５４ｂａを直径方向に貫通する貫通孔５４ｂｃが設けられている。
【００５５】
なお、貫通孔５４ｂｃと、筒状本体５４ａに設けられた挿入口５４ａｂは略同径で形成されているが、バネ５３ｃによって付勢されたスライダ５４ｂに設けられた貫通孔５４ｂｃと、筒状本体５４ａに設けられた挿入口５４ａｂとでは、軸方向の位置がずれるように配置されている。  
ロック部５４ｄは、筒状本体５４ａに対して径方向に移動可能に組み込まれ、挿入空間５４ａａに挿入された嵌合凸部５３ａａに対して係止する係止部５４ｄａを有している。
【００５６】
このように構成されたオス型アジャスタ５３及びメス型アジャスタ５４は、図５（ｂ）に示すように、オス型アジャスタ５３の嵌合凸部５３ａａをメス型アジャスタ５４の挿入空間５４ａａに挿入し、嵌合凸部５３ａａに対して係止部５４ｄａを係止させることで抜け止めされた状態で連結することができる。
【００５７】
逆に、オス型アジャスタ５３とメス型アジャスタ５４の連結状態では、係止部５４ｄａが嵌合凸部５３ａａとの係止状態を開放するようにロック部５４ｄをスライドさせることで、オス型アジャスタ５３とメス型アジャスタ５４との連結を開放することができる。
【００５８】
また、図５（ｃ）に示すように、バネ５３ｃ，５４ｃの付勢力に抗して、押圧部５３ｂｂ，５４ｂｂを押圧してスライダ５３ｂ、５４ｂを押し込み、スライダ５３ｂ，５４ｂに設けられた貫通孔５３ｂｃ，５４ｂｃと、筒状本体５３ａ，５４ａに設けられた挿入口５３ａｂ，５４ａｂとの軸方向の位置を合わせることで、調整紐５１よりひと回り大きな貫通孔がアジャスタ５３，５４に形成されるため、アジャスタ５２に対して調整紐５１が自由に移動可能になる。つまり、この状態では、アジャスタ５２が調整紐５１に対して移動可能になる。
【００５９】
このようにして、調整紐５１に対する所定位置までアジャスタ５２を調整したあと、図５（ｄ）に示すように、押圧部５３ｂａ，５４ｂａの押圧を解放することで、バネ５３ｃ，５４ｃの付勢力によってスライダ５３ｂ、５４ｂは押し戻され、スライダ５３ｂ，５４ｂに設けられた貫通孔５３ｂｃ，５４ｂｃと、筒状本体５３ａ，５４ａに設けられた挿入口５３ａｂ，５４ａｂとの軸方向の位置がずれ、位置がずれた貫通孔５３ｂｃ，５４ｂｃと挿入口５３ａｂ，５４ａｂとで調整紐５１を挟み込むため、調整紐５１に対するアジャスタ５２の位置を固定することができる。
【００６０】
このように構成された上部クッション体１０と下部クッション体２０とを重ね合わせることで多機能クッション１をネックピローとして使用することができる。  
具体的には、上面２０ｄがフラットに形成された下部クッション体２０の上方に、底面１０ｃがフラットに形成された上部クッション体１０を重ね合わせ、雄型ホック部３１の雄型ホック部３１ｂと雌型ホック３２と嵌合させることで後面側連結部３０によって上部クッション体１０と下部クッション体２０の後端側を連結し、上部クッション体１０と下部クッション体２０とを一体化することができる。
【００６１】
また、図６（ａ）に示すように、左側の開放端部１１に配置した雌型ホック部４１の雌型ホック４１ｂと、左側の開放端部２１に配置した雄型ホック４３とを嵌合させ、右側の開放端部１１に配置した雄型ホック部４２の雄型ホック４２ｂと、右側の開放端部２１に配置した雌型ホック４４とを嵌合させることで、上部クッション体１０の開放端部１１と下部クッション体２０の開放端部２１とを左右それぞれ連結することができる。
【００６２】
例えば、図７（ａ）に示すように、この状態で開放部１ｂを開いて、装着開口部１ａに利用者Ｍの首が配置されるように首裏側側から挿入することで、ネックピローとして多機能クッション１を装着することができる。なお、ネックピローとして使用された多機能クッション１において、利用者Ｍの首元から肩に亘って配置される下部クッション体２０の開放部２０ｂの開放幅を開放幅調整部５０で調整することができる。
【００６３】
また、図６（ｂ）に示すように、左右の開放端部１１を近接させ、左側の開放端部１１に配置した雌型ホック部４１の雌型ホック４１ｂと、右側の開放端部１１に配置した雄型ホック部４２の雄型ホック４２ｂとを嵌合させることで、左右の開放端部１１同士を連結することができる。このとき、雌型ホック部４１と雄型ホック部４２とは、左右の開放端部１１同士を連結する開放連結部６０として機能し、上部クッション体１０を環状にすることもできる。
【００６４】
そのため、図７（ｂ）に示すように、ネックピローとして使用された多機能クッション１において、利用者Ｍの顎下に配置された上部クッション体１０を環状態として、利用者Ｍの頭部Ｈを支持することができる。
【００６５】
また、上述のように、上部クッション体１０と下部クッション体２０とを重ね合わせずとも、図８に示すように、正面側連結部４０のみを連結し、正面側連結部４０を連結したまま、上部クッション体１０と下部クッション体２０とを展開することで、平面視略８の字状、あるいは長楕円状のクッションとして多機能クッション１を使用することができる。
【００６６】
また、逆に、後面側連結部３０を連結したまま、上部クッション体１０と下部クッション体２０とを展開することで、平面視略Ｘ字状のクッションとして多機能クッション１を使用してもよい。このように、後面側連結部３０と正面側連結部４０とのいずれか一方を連結した状態で展開することで、さまざまな形状のクッションとして多機能クッション１を使用することができる。
【００６７】
さらに、正面側連結部４０を連結したまま、上部クッション体１０と下部クッション体２０とを交差する方向に曲げて展開することで、椅子に座る際のクッションとして多機能クッション１を使用することができる。なお、このとき、下部クッション体２０を座面側に配置し、上部クッション体１０を後板側に配置することで、上部クッション体１０よりも反発力が高い下部クッション体２０で利用者Ｍの体重を支持し、反発力が低い上部クッション体１０が背板と利用者Ｍの背中との隙間を埋める態様となるため、座り心地がよくなる。特に、上部クッション体１０の上面１０ｄが利用者Ｍの背中側に向くため、座り心地がより好ましい。
【００６８】
さらにまた、後面側連結部３０も正面側連結部４０も連結することなく、多機能クッション１の上部クッション体１０と下部クッション体２０とを分離して、上部クッション体１０と下部クッション体２０とを別々で使用してもよいし、上部クッション体１０を開いて、上部クッション体１０の開口部１０ａに下部クッション体２０を配置することで座布団のように多機能クッション１を使用することができる。このように、開口部１０ａに下部クッション体２０を配置することで、外周側が高く、中央側が低い形状となるとともに、利用者Ｍの体重を支持する中央側の反発力が高い座布団を多機能クッション１で構成することができる。
【００６９】
このように構成された多機能クッション１は、図１０に示すように、上部クッション体１０と下部クッション体２０とをそれぞれ巻きまわして巾着袋１１０に収容することができる。なお、図１０（ａ）は上部クッション体１０と下部クッション体２０を巻き付けて巾着袋１１０に収容したクッションセット１００の斜視図を示し、図１０（ｂ）は同状態において巾着袋１１０を透過状態で図示したクッションセット１００の斜視図を示している。
【００７０】
具体的には、上述の多機能クッション１と巾着袋１１０とで構成するクッションセット１００は、まず巾着袋１１０の内部に巻きまわした下部クッション体２０を収容し、その上に巻きまわした上部クッション体１０を収容する。なお、巻きまわした上部クッション体１０を上下さかさまにして巾着袋１１０の内部に先に収容し、その上に巻きまわした下部クッション体２０を収容してもよいが、上下さかさまにした上部クッション体１０の上部クッション体１０ｄが凹凸状であり、安定性が悪いため、下部クッション体２０を先に収容するほうが好ましい。
【００７１】
このように、平面視中央に高さ方向に貫通する装着開口部１ａと、周方向の一部において、装着開口部１ａと連通して開放された開放部１ｂとが備えられた多機能クッション１を、高さ方向に重ね合わせ可能なクッション体１０，２０と、クッション体１０，２０を着脱自在に連結する連結部３０，４０とで構成したことにより、取り扱い性の高い多機能クッション１を構成することができる。
【００７２】
詳述すると、平面視中央に高さ方向に貫通する装着開口部１ａと、周方向の一部において、装着開口部１ａと連通して開放された開放部１ｂとが備えられた多機能クッション１を、高さ方向に重ね合わせ可能なクッション体１０，２０と、クッション体１０，２０を着脱自在に連結する連結部３０，４０とで構成しているため、高さの高い一体型の多機能クッションに比べて、高さの低いクッション体１０，２０の方が取り扱い性が高いため、多機能クッション１としての取り扱い性を向上することができる。
【００７３】
また、さまざまな態様で多機能クッション１を利用することができる。詳述すると、連結部３０，４０を外すことでクッション体１０，２０を分離させることができるため、上部クッション体１０及び下部クッション体２０のそれぞれを別々、あるいは組み合わせて利用することができる。
【００７４】
また、連結部３０，４０を連結することでクッション体１０，２０を一体化することができ、クッション体１０，２０を重ね合わせることで、上述したように、ネックピローのように高さのある多機能クッション１として利用したり、連結部３０，４０の一方を連結することによって、一体化したクッション体１０，２０を展開して、大きな多機能クッション１として利用したりすることができる。
【００７５】
また、多機能クッション１を、高さ方向の下側の下部クッション体２０と、上側の上部クッション体１０とで構成し、下部クッション体２０の反発力が、上部クッション体１０の反発力より高いため、装着感の高い多機能クッション１を構成することができる。
【００７６】
詳述すると、多機能クッション１をネックピローとして用いる場合、反発力の高い下部クッション体２０で首元から肩に亘ってしっかりと支持し、反発力が低い、つまりクッション性の高い上部クッション体１０で頭部Ｈを支持するため、反発力が高いクッション体のみで構成された多機能クッションに比べて装着感を向上することができ、反発力が低いクッション体のみで構成された多機能クッションに比べてしっかりと支持することができる。
【００７７】
また、下部クッション体２０の高さが、上部クッション体１０の高さより低いため、良好な装着感を得ることができる。  
詳述すると、多機能クッション１をネックピローとして用いる場合、装着状態において首元側に配置される下部クッション体の高さが高いと頸動脈部分を反発力の高いクッション体で抑えることとなり、首の太い利用者Ｍは息苦しく感じるおそれがあるが、下部クッション体２０の高さが低いことによって、首の締め付け感を低減でき、良好な装着感を得ることができる。
【００７８】
また、上部クッション体１０の開放端部１１同士を着脱自在に連結する開放連結部６０と、下部クッション体２０の開放端部２１同士の開放幅を調整する開放幅調整部５０とを備えているため、さまざまな利用者Ｍであっても良好な装着感を得ながら、しっかりと頭部Ｈを支持することができる。
【００７９】
詳述すると、多機能クッション１をネックピローとして用いる場合、顎下に装着される上部クッション体１０の開放端部１１同士を好みによって連結したり、開放したりすることができる。また、首元に配置される下部クッション体２０の開放幅を開放幅調整部５０で調整できるため、利用者Ｍの首元の太さに応じて調整でき、締め付け感なくしっかりと支持することができる。
【００８０】
このように、上部クッション体１０に開放連結部６０を設け、下部クッション体２０に開放幅調整部５０を設けることで、さまざまな利用者Ｍであっても良好な装着感を得ながら、しっかりと頭部を支持することができる。
【００８１】
また、上部クッション体１０と下部クッション体２０とを連結する後面側連結部３０を開放部１ｂに対する反対側に配置し、正面側連結部４０を開放端部１１，２１のそれぞれに配置しているため、さまざまな態様で多機能クッション１を利用することができる。
【００８２】
詳述すると、連結部３０，４０の一方を外すことで上部クッション体１０と下部クッション体２０とを分離させることができるため、それぞれを別々、あるいは組み合わせて利用したり、組み合わせて使用することができる。
【００８３】
また、少なくとも、後面側連結部３０及び正面側連結部４０の一方を連結することで上部クッション体１０と下部クッション体２０とを一体化することができるため、上部クッション体１０と下部クッション体２０とを重ね合わせることで、例えばネックピローのように高さのある多機能クッション１として利用できる。
【００８４】
また、連結部３０，４０によって一体化された上部クッション体１０と下部クッション体２０とを展開して大きな多機能クッション１として利用できるが、後面側連結部３０及び正面側連結部４０のどちらかを連結することで展開する態様が異なるため、利用性が向上する。
【００８５】
また、雄雌嵌合する一対のホック部４１，４２及びとホック４３，４４とで正面側連結部４０を構成し、上部クッション体１０の左側の開放端部１１に雌型ホック部４１及び下部クッション体２０の左側の開放端部２１に雄型ホック４３を配置するとともに、上部クッション体１０の右側の開放端部１１に雄型ホック部４２及び下部クッション体２０の右側の開放端部２１に雌型ホック４４を配置しているため、上部クッション体１０と下部クッション体２０との重ね合わせ方向を間違うことなく、上部クッション体１０と下部クッション体２０とを重ね合わせて連結することができる。
【００８６】
詳述すると、上部クッション体１０と下部クッション体２０とを重ね合わせた状態において、上部クッション体１０の開放端部１１の一方に配置した雌型ホック部４１と、下部クッション体２０の開放端部２１の一方に配置した雄型ホック４３とは連結できるとともに、上部クッション体１０の開放端部１１の他方に配置した雄型ホック部４２と、下部クッション体２０の開放端部２１の他方に配置した雌型ホック４４とは連結できるが、上部クッション体１０の開放端部１１の一方に配置した雌型ホック部４１と、下部クッション体２０の開放端部２１の他方に配置した雌型ホック４４とは連結できず、上部クッション体１０の開放端部１１の他方に配置した雄型ホック部４２と、下部クッション体２０の開放端部２１の一方に配置した雄型ホック４３とは連結できない。
【００８７】
そのため、上部クッション体１０の開放端部１１の一方と、下部クッション体２０の開放端部２１の一方とが上下方向に配置され、上部クッション体１０の開放端部１１の他方と、下部クッション体２０の開放端部２１の他方とが上下方向に配置される向きで重ね合わせた場合でなければ、雄雌一対構成された正面側連結部４０が連結できず、重ね合わせ方向を間違えることなく、上部クッション体１０と下部クッション体２０とを重ね合わせて連結して使用することができる。
【００８８】
また、上部クッション体１０に設けたホック部４１，４２が雄雌一対構成されているため、ホック部４１，４２は、下部クッション体２０のホック４３，４４との連結だけでなく、上部クッション体１０における開放端部１１同士を着脱自在に連結する開放連結部６０としても機能させることができる。
【００８９】
また、多機能クッション１と、巻き回した下部クッション体２０と巻き回した上部クッション体１０とを重ね合わせて収容可能に構成された巾着袋１１０とで構成されたクッションセット１００は、高さのあるクッション体を巻きまわして巾着袋１１０に収容する場合に比べて、下部クッション体２０と上部クッション体１０とをそれぞれ手軽に巻きまわして収容できるため、コンパクトに容易に収容できる。したがって、携帯用の多機能クッション１として活用することができる。
【００９０】
以上、本発明の構成と、前述の実施態様との対応において、本実施形態の開口部は装着開口部１ａに対応し、
以下同様に、
開放部は開放部１ｂに対応し、
クッションは多機能クッション１に対応し、
複数のクッション体は上部クッション体１０及び下部クッション体２０に対応し、
連結部は連結部３０，４０に対応し、
下側クッション体は下部クッション体２０に対応し、
上側クッション体は上部クッション体１０に対応し、
開放連結部は開放連結部６０に対応し、
開放端部は開放端部１１，２１に対応し、
開放幅調整部は開放幅調整部５０に対応し、
第１連結部は後面側連結部３０に対応し、
第２連結部は正面側連結部４０に対応し、
雄型連結部は雄型ホック部４２，雄型ホック４３に対応し、
雌型連結部は雌型ホック部４１，雌型ホック４４に対応し、
上側クッション体の開放端部は開放端部１１に対応し、
下側クッション体の開放端部は開放端部２１に対応し、
収容袋は巾着袋１１０に対応し、
クッションセットはクッションセット１００に対応するも、上記実施形態に限定するものではない。
【００９１】
上述の説明においては、多機能クッション１を重ね合わせて２段となる上部クッション体１０と下部クッション体２０とで構成したが、２段以上で構成してもよいし、上部クッション体１０や下部クッション体２０のそれぞれを分割可能なクッション体で構成してもよい。さらには、上部クッション体１０と下部クッション体２０とを、同形状や高さ方向に対して対称な形状で形成してもよい。
【００９２】
また、多機能クッション１を平面視略Ｃ型で形成したが、装着開口部１ａが平面視円形であればどのような形状で形成してもよい。  
また、上述の説明では、多機能クッション１の後面側に後面側連結部３０を設けたが、複数の後面側連結部３０を備えてもよい。
【符号の説明】
【００９３】
１…多機能クッション
１ａ…装着開口部
１ｂ…開放部
１０…上部クッション体
１１…開放端部
２０…下部クッション体
２１…開放端部
３０…後面側連結部
４０…正面側連結部
４１…雌型ホック部
４２…雄型ホック部
４３…雄型ホック
４４…雌型ホック
５０…開放幅調整部
６０…開放連結部
１００…クッションセット
１１０…巾着袋
【図１】
2019041961.tif 000003
【図２】
2019041961.tif 000004
【図３】
2019041961.tif 000005
【図４】
2019041961.tif 000006
【図５】
2019041961.tif 000007
【図６】
2019041961.tif 000008
【図７】
2019041961.tif 000009
【図８】
2019041961.tif 000010
【図９】
2019041961.tif 000011
【図１０】
2019041961.tif 000012